(57)【特許請求の範囲】
【請求項１】
一端が、第１の接地端及び出力端を備える外部の電力源の前記出力端に接続され、他端が、第２の接地端を備える外部の負荷に接続された第１のインダクタと、
一端が前記第１の接地端に接続された第２のインダクタと、
前記第２のインダクタの他端に接続された第１のノードと、
前記第１の接地端に接続された第２のノードと、
一端が前記第１の接地端に接続された第１のインピーダンス素子と、
前記第１のインピーダンス素子の他端に接続された第３のノードと、
操作者の操作に従って、前記第２の接地端を、前記第１、第２及び第３のノードのうちの一つに接続するスイッチと、を備え、
前記第１及び第２のインダクタは、前記第１の接地端及び前記出力端に互いに実質的に同相となるよう印加された電圧成分により各自に電流が流れたとき、各該電流の通過を妨げる向きの起電力を相互誘導により互いに誘起するように誘導結合されている、
ことを特徴とする接地特性変換装置。
【請求項２】
前記電力源の出力端は一対の極を備え、前記第１のインダクタは、前記一対の極の一方と前記負荷が備える両端のうち一方との間に接続されており、
前記一対の極の他方と前記負荷の両端のうちの他方との間に接続された第３のインダクタを備え、
前記第１及び第３のインダクタは、前記一対の極に実質的に同相となるよう印加された電圧成分により各自に電流が流れたとき、各該電流の通過を妨げる向きの起電力を相互誘導により互いに誘起するように誘導結合されている、
ことを特徴とする請求項１に記載の接地特性変換装置。
【請求項３】
前記第１のインピーダンス素子は、第１の抵抗素子より構成される、
ことを特徴とする請求項１又は２に記載の接地特性変換装置。
【請求項４】
前記第１のインピーダンス素子は、第４のインダクタより構成される、
ことを特徴とする請求項１又は２に記載の接地特性変換装置。
【請求項５】
前記第１の接地端に実質的に接続されていない外部のフィールドグラウンドに接続された第４のノードを更に備え、
前記スイッチは、操作者の操作に従って、前記第２の接地端を、前記第１乃至第４のノードのうちの一つに接続する、
ことを特徴とする請求項１乃至４のいずれか１項に記載の接地特性変換装置。
【請求項６】
一端が前記フィールドグラウンドに接続された第２のインピーダンス素子と、
前記第２のインピーダンス素子の他端に接続された第５のノードと、を備え、
前記スイッチは、操作者の操作に従って、前記第２の接地端を、前記第１乃至第５のノードのうちの一つに接続する、
ことを特徴とする請求項５に記載の接地特性変換装置。
【請求項７】
前記第２のインピーダンス素子は、第２の抵抗素子より構成される、
ことを特徴とする請求項６に記載の接地特性変換装置。
【請求項８】
前記第２のインピーダンス素子は、第５のインダクタより構成される、
ことを特徴とする請求項６に記載の接地特性変換装置。
【発明の詳細な説明】
【０００１】
【発明の属する技術分野】
この発明は、電源や電気機器の接地の状態を変化させる接地特性変換装置に関する。
【０００２】
【従来の技術】
一般に、電気機器を使用するとき、電気機器の保安のため（すなわち、漏電による人体等への危険発生の防止や、落雷等による電気機器の破壊の防止のため）、あるいは、電気機器への雑音の流入を防止するため、電気機器を構成する回路の所定のノードを、電気機器の外部の導体に接地する。
【０００３】
【発明が解決しようとする課題】
しかし、電源が備える接地端（例えば、商用電源のコンセントに設けられれているアース端子など）の電位が、雑音により変動している場合、この接地端に電気機器を接続することによる接地を行うと、電源の接地端の電位を変動させている雑音が、電気機器に流入するという問題がある。
【０００４】
また、電気機器の上述の所定のノードから外部の導体へと流れる電流路がリアクタンス成分を有する結果として、この電流路が雑音に共振して雑音を増強するという問題もある。
また、上述の所定のノードから外部の導体へと流れる電流路が閉ループを形成する場合は、この閉ループ内を一周する雑音電流により閉ループ内に電圧降下が生じ、電流路内に雑音電圧が生じ、上述の所定のノードの電位を不安定にするという問題もある。
【０００５】
これらの問題を解決するためには、従来は、雑音に起因する障害が電気機器に発生する度に、接地する対象の外部の導体や、接地の態様を個別に決定し、接地する対象や接地の態様を変更する工事を行っていた。しかし、接地する対象や接地の態様の適切な選択は困難であり、また、接地の対象や接地の態様を変更する工事は煩雑であった。
【０００６】
この発明は上記実状に鑑みてなされたもので、電気機器への雑音の流入が軽減されるよう接地の対象及び接地の態様を簡単に選択することを可能とするための接地特性変換装置を提供することを目的とする。
【０００７】
【課題を解決するための手段】
上記目的を達成するため、この発明にかかる接地特性変換装置は、
一端が、第１の接地端及び出力端を備える外部の電力源の前記出力端に接続され、他端が、第２の接地端を備える外部の負荷に接続された第１のインダクタと、
一端が前記第１の接地端に接続された第２のインダクタと、
前記第２のインダクタの他端に接続された第１のノードと、
前記第１の接地端に接続された第２のノードと、
一端が前記第１の接地端に接続された第１のインピーダンス素子と、
前記第１のインピーダンス素子の他端に接続された第３のノードと、
操作者の操作に従って、前記第２の接地端を、前記第１、第２及び第３のノードのうちの一つに接続するスイッチと、を備え、
前記第１及び第２のインダクタは、前記第１の接地端及び前記出力端に互いに実質的に同相となるよう印加された電圧成分により各自に電流が流れたとき、各該電流の通過を妨げる向きの起電力を相互誘導により互いに誘起するように誘導結合されている、
ことを特徴とする。
【０００８】
このような接地特性変換装置によれば、第２の接地端−第１のノード間を接続すると、電力源の出力端及び接地端に同相で印加されたコモンモードノイズが負荷へと供給される事態が防止される。また、第２の接地端−第２のノード間を接続すると、負荷の接地端及び電力源の接地端が同電位に保たれ、両接地端間の電圧の変動が防止される。また、第２の接地端−第３のノード間を接続した場合も、両接地端間に電流が実質的に流れなければ、両接地端は同電位に保たれる。両接地端間にノイズによる電流が流れる場合も、この電流の大きさが抑制される。
【０００９】
前記電力源の出力端は一対の極を備えていてもよく、その場合、前記第１のインダクタが、前記一対の極の一方と前記負荷が備える両端のうち一方との間に接続されていれば、前記接地特性変換装置は、前記一対の極の他方と前記負荷の両端のうちの他方との間に接続された第３のインダクタを備えていてもよい。
そして、この場合、前記第１及び第３のインダクタは、前記一対の極に実質的に同相となるよう印加された電圧成分により各自に電流が流れたとき、各該電流の通過を妨げる向きの起電力を相互誘導により互いに誘起するように誘導結合されていてもよい。
このような構成を有していれば、第２の接地端−第１のノード間を接続すると、電力源の出力端の両極間に同相で印加されたコモンモードノイズが負荷へと供給される事態が防止される。
【００１０】
前記第１のインピーダンス素子は、例えば第１の抵抗素子より構成されていてもよい。
一方、前記第１のインピーダンス素子は、第４のインダクタより構成されていてもよく、この場合は、第２の接地端−第３のノード間が接続され、両接地端間にノイズによる電流が流れた場合であっても、この電流の周波数における第４のインダクタのリアクタンスが、この電流を実質的に遮断する程度の大きさを有していれば、両接地端は同電位に保たれる。
【００１１】
前記接地特性変換装置は、
前記第１の接地端に実質的に接続されていない外部のフィールドグラウンドに接続された第４のノードを更に備え、
前記スイッチは、操作者の操作に従って、前記第２の接地端を、前記第１乃至第４のノードのうちの一つに接続するものであってもよい。
このような構成を有していれば、第２の接地端−第４のノード間を接続することにより、負荷の接地端がフィールドグラウンドと同電位に保たれるので、電力源の接地端の電圧がノイズにより変動する場合も、負荷の接地端の電圧の変動が防止される。
【００１２】
前記接地特性変換装置は、
一端が前記フィールドグラウンドに接続された第２のインピーダンス素子と、前記第２のインピーダンス素子の他端に接続された第５のノードと、を備え、前記スイッチは、操作者の操作に従って、前記第２の接地端を、前記第１乃至第５のノードのうちの一つに接続するものであってもよい。
このような構成を有していて第２の接地端−第５のノード間が接続された場合も、負荷の接地端とフィールドグラウンドとの間に電流が実質的に流れなければ、負荷の接地端はフィールドグラウンドと同電位に保たれる。負荷の接地端とフィールドグラウンドとの間にノイズによる電流が流れる場合も、この電流の大きさが抑制される。
【００１３】
前記第２のインピーダンス素子は、例えば第２の抵抗素子より構成されていてもよい。
一方、前記第２のインピーダンス素子は、第５のインダクタより構成されていてもよく、この場合は、第２の接地端−第５のノード間が接続され、両接地端間にノイズによる電流が流れた場合であっても、この電流の周波数における第５のインダクタのリアクタンスが、この電流を実質的に遮断する程度の大きさを有していれば、負荷の接地端はフィールドグラウンドと同電位に保たれる。
【００１４】
【発明の実施の形態】
以下、この発明の実施の形態にかかる接地特性変換装置を、交流電力により駆動される負荷への雑音の流入を軽減するための接地切替器を例として説明する。
【００１５】
図１は、この発明の実施の形態にかかる接地切替器の物理的構成を示す。
図示するように、この接地切替器は、チョークコイルＬ１〜Ｌ３と、スイッチＳＷと、抵抗器Ｒ１及びＲ２とより構成される。
【００１６】
各チョークコイルＬ１、Ｌ２及びＬ３は、同一のコアにバイファイラに巻かれることにより互いに誘導結合されている。
チョークコイルＬ１の一端は、単相交流電圧を発生する外部の商用電源ＡＣＶのホットエンドに接続され、他端は、電力を供給する対象である外部の負荷Ｚのホットエンドに接続されている。チョークコイルＬ２の一端は、商用電源ＡＣＶのコールドエンドに接続され、他端は、負荷Ｚのコールドエンドに接続されている。チョークコイルＬ３の一端は、商用電源ＡＣＶが備える接地端に接続され、他端は、スイッチＳＷが備える後述の端子ｔ１に接続されている。
【００１７】
なお、交流電源ＡＣＶは、自己が備える上述のホットエンド−コールドエンド間に単相交流電圧を発生する。また、交流電源ＡＣＶの接地端は、地中に埋設された接地極などより構成されるフィールドグラウンドＦＧ１に接続されており、更に、交流電源ＡＣＶの接地端とコールドエンドは互いに接続されている。
【００１８】
また、負荷Ｚは、例えば、単相交流電力を供給する対象の電気機器などより構成されており、電源入力端に加えて接地端を備えている。負荷Ｚの接地端は、例えば、負荷Ｚを構成する電気機器の導体製の筐体に接続されている。
【００１９】
チョークコイルＬ１、Ｌ２及びＬ３の各両端のうち、商用電源ＡＣＶに接続されている方の端は、いずれも該チョークコイルの巻き始め側の端であるか、又は、いずれも該コイルの巻き終わり側の端である。
このため、商用電源ＡＣＶから、チョークコイルＬ１〜Ｌ３のうちの任意の２つへと、互いに実質的に逆相の電流（すなわち、ノーマルモードの電流）が供給されると、この２つのチョークコイルは、各々に流れる電流により各々が自己誘導する逆起電力を打ち消す向きの起電力を、相互誘導により互いに誘起し合う。
【００２０】
例えば、チョークコイルＬ１（又はＬ２）に、商用電源ＡＣＶに接続された側の端から負荷Ｚに接続された方の端へと電流が流れると、チョークコイルＬ１（又はＬ２）は、自己誘導により、負荷Ｚに接続された側の端から商用電源ＡＣＶに接続された側の端へと電流を流す向きの逆起電力を発生する。
【００２１】
一方、チョークコイルＬ１（又はＬ２）に、商用電源ＡＣＶに接続された側の端から負荷Ｚに接続された側の端へと電流が流れる間、チョークコイルＬ２（又はＬ１）には、負荷Ｚに接続された側の端から商用電源ＡＣＶに接続された側の端へと電流が流れる。そして、この電流は、チョークコイルＬ１（又はＬ２）に、商用電源ＡＣＶに接続された側の端から負荷Ｚに接続された側の端へと電流を流す向きの起電力を、相互誘導により誘起する。
【００２２】
この結果、チョークコイルＬ１（又はＬ２）が自己誘導により発生した逆起電力と、チョークコイルＬ２（又はＬ１）を流れる電流が相互誘導によりチョークコイルＬ１（又はＬ２）に誘起した起電力とは、互いを打ち消し合う。
このため、商用電源ＡＣＶの出力端から、ノーマルモードの電流を供給するために印加されるノーマルモードの電圧は、実質的に電圧降下を発生させることなく、負荷Ｚの電源入力端間に供給される。
従って、チョークコイルＬ１及びＬ２は、商用電源の帯域に属する信号を各々単独に通過させた場合において、その両端に電圧降下を発生させる程度に大きなリアクタンスを有していてもよい。
【００２３】
一方、チョークコイルＬ１〜Ｌ３のうちの任意の２つへと、互いに実質的に同相の電流（すなわち、コモンモードの電流）が供給されたとする。この場合、この２つのチョークコイルを流れる当該コモンモードの電流により各々が自己誘導する逆起電力は、相互誘導により発生する起電力によっては打ち消されない。
【００２４】
例えば、チョークコイルＬ１が自己誘導により発生した逆起電力と、チョークコイルＬ２を流れる電流が相互誘導によりチョークコイルＬ１に誘起した起電力とは、同一の向きとなる。また同様に、チョークコイルＬ２が自己誘導により発生した逆起電力、及びチョークコイルＬ１を流れる電流が相互誘導によりチョークコイルＬ２に誘起した起電力も、同一の向きとなる。
【００２５】
このため、チョークコイルＬ１及びＬ２にコモンモードの電流を流すようなノイズ（コモンモードノイズ）が供給された場合、チョークコイルＬ１及びＬ２は、各自に流れる電流により各自が自己誘導する逆起電力と、相互誘導により発生する起電力とによって、このコモンモードノイズが図１に示す点Ｐ１−点Ｑ１間及び点Ｐ２−点Ｑ２間の線路を通過するのを阻止する。
また、チョークコイルＬ１及びＬ３にコモンモードノイズが供給された場合、チョークコイルＬ１及びＬ３は、このコモンモードの信号が図１の点Ｐ１−点Ｑ１間及び点Ｐ３−点Ｑ３間の線路を通過するのを阻止する。また、チョークコイルＬ２及びＬ３にコモンモードノイズが供給された場合、チョークコイルＬ２及びＬ３は、このコモンモードの信号が図１の点Ｐ２−点Ｑ２間及び点Ｐ３−点Ｑ３間の線路を通過するのを阻止する。
【００２６】
スイッチＳＷは、１回路５接点のロータリースイッチ等から構成されており、端子ｃｏｍ及びｔ１〜ｔ５を備える。スイッチＳＷは、操作者の操作に従って、端子ｔ１〜端子ｔ５の間のうちいずれか一つを、端子ｃｏｍと導通させる。
【００２７】
スイッチＳＷの端子ｃｏｍは、負荷Ｚの接地端に接続されている。端子ｔ１は、上述の通り、チョークコイルＬ３の両端のうち、商用電源ＡＣＶに接続されていない方の端に接続されている。端子ｔ２は、交流電源ＡＣＶの接地端に直接に接続されている。端子ｔ３は、抵抗器Ｒ１を介して交流電源ＡＣＶの接地端に接続されている。端子ｔ４は、地中に埋設された接地極などより構成されるフィールドグラウンドＦＧ２に、抵抗器Ｒ２を介して接続されている。端子ｔ５は、フィールドグラウンドＦＧ２に直接に接続されている。
【００２８】
抵抗器Ｒ１は、上述の通り、スイッチＳＷの端子ｔ３と交流電源ＡＣＶの接地端との間に接続されている。抵抗器Ｒ２は、上述の通り、スイッチＳＷの端子ｔ４とフィールドグラウンドＦＧ２との間に接続されている。
【００２９】
図１に示す構成において、交流電源ＡＣＶの出力端の両極間に交流電圧が発生すると、この交流電圧は、負荷Ｚの両端間に印加される。
図１の接地切替器のスイッチＳＷの端子ｃｏｍ−ｔ１間が互いに接続された状態（以下、「第１の状態」と呼ぶ）では、負荷Ｚの接地端は、チョークコイルＬ３の上述の他端に接続される。
【００３０】
第１の状態では、交流電源ＡＣＶのホットエンド、コールドエンド及び接地端にコモンモードノイズが発生しても（つまり、交流電源ＡＣＶのホットエンド、コールドエンド及び接地端に、互いに同相であるノイズが発生しても）、このコモンモードノイズは、チョークコイルＬ１〜Ｌ３により点Ｑ１〜点Ｑ３へと通過することを実質的に阻止される。従って、負荷Ｚには、このコモンモードノイズが実質的に流入しない。
【００３１】
次に、スイッチＳＷの端子ｃｏｍ−ｔ２間が互いに接続された状態（以下、「第２の状態」と呼ぶ）では、負荷Ｚの接地端は、商用電源ＡＣＶの接地端に接続される。この結果、フィールドグラウンドＦＧ１と商用電源ＡＣＶの接地端との間の結線が十分低抵抗で行われていれば、フィールドグラウンドＦＧ１、商用電源ＡＣＶの接地端及び負荷Ｚの接地端は、互いに実質的に等電位となる。
このため、例えば商用電源ＡＣＶの出力端及び接地端に接続されている外部の装置と負荷Ｚとの間で、商用電源ＡＣＶの接地端の電位を基準とした電圧がデータを表すような信号を交換する場合、第２の状態では、この信号を用いたデータの交換が正常に行われる。
【００３２】
また、第２の状態では、交流電源ＡＣＶのホットエンド−接地端間に発生したノイズ及び交流電源ＡＣＶのコールドエンド−接地端間に発生したノイズが互いに同相である場合、このノイズはチョークコイルＬ１及びＬ２によって負荷Ｚへの流入を実質的に阻止される。従って、負荷Ｚには、このノイズが実質的に流入しない。
【００３３】
次に、スイッチＳＷの端子ｃｏｍ−ｔ３間が互いに接続された状態（以下、「第３の状態」と呼ぶ）では、負荷Ｚの接地端は、抵抗器Ｒ１を介して商用電源ＡＣＶの接地端に接続される。従って、第３の状態でも、フィールドグラウンドＦＧ１と商用電源ＡＣＶの接地端との間の結線が十分低抵抗で行われていれば、負荷Ｚの接地端と交流電源ＡＣＶの接地端との間にノイズによる電流成分（接地端間のノイズ電流）が流れなければ、フィールドグラウンドＦＧ１、商用電源ＡＣＶの接地端及び負荷Ｚの接地端は、互いに実質的に等電位となる。
【００３４】
もっとも、接地端間のノイズ電流が流れれば、フィールドグラウンドＦＧ１と負荷Ｚの接地端との間には、接地端間の電流と抵抗器Ｒ１の抵抗値の積に等しい電圧成分（接地端間のノイズ電圧）が、このノイズに起因して発生することになる。
しかし、接地端間のノイズ電流の大きさは、抵抗器Ｒ１の抵抗値が大きいほど小さくなる。従って、第３の状態で流れる接地端間のノイズ電流の大きさは、第２の状態で流れる接地端間のノイズ電流より小さくなる。従って、負荷Ｚが接地端間のノイズ電流に起因する誤動作を起こしやすい装置を含んでいる等の場合には、第２の状態より第３の状態のほうが、負荷Ｚの誤動作の危険がより確実に防がれる。
【００３５】
次に、スイッチＳＷの端子ｃｏｍ−ｔ４間が互いに接続された状態（以下、「第４の状態」と呼ぶ）では、負荷Ｚの接地端は、抵抗器Ｒ２を介してフィールドグラウンドＦＧ２に接続される。従って第４の状態では、フィールドグラウンドＦＧ２と負荷Ｚの接地端と交流電源ＡＣＶの接地端との間に接地端間のノイズ電流が流れなければ、フィールドグラウンドＦＧ１と商用電源ＡＣＶの接地端との間の接地抵抗の値とは無関係に、フィールドグラウンドＦＧ２及び負荷Ｚの接地端が互いに実質的に等電位となる。また、第４の状態では、フィールドグラウンドＦＧ１と商用電源ＡＣＶの接地端との間の結線に誘起されるノイズが負荷Ｚに流入することも防がれる。
【００３６】
もっとも、フィールドグラウンドＦＧ２−負荷Ｚの接地端間に接地端間のノイズ電流が流れれば、フィールドグラウンドＦＧ２と負荷Ｚの接地端との間には、接地端間のノイズ電圧が発生することになる。しかし、接地端間のノイズ電流の大きさは抵抗器Ｒ２の抵抗値が大きいほど小さいので、第４の状態で流れる接地端間のノイズ電流の大きさは、後述する第５の状態で流れる接地端間のノイズ電流より小さくなる。従って、負荷Ｚが接地端間のノイズ電流に起因する誤動作を起こしやすい装置を含んでいる等の場合には、第５の状態より第４の状態のほうが、負荷Ｚの誤動作の危険がより確実に防がれる。
【００３７】
次に、スイッチＳＷの端子ｃｏｍ−ｔ５間が互いに接続された状態（すなわち、第５の状態）では、負荷Ｚの接地端は、フィールドグラウンドＦＧ２に直接に接続される。この結果、接地端間のノイズ電流の大きさは第４の状態で流れる接地端間のノイズ電流より大きくなる。
【００３８】
しかし、負荷Ｚの接地端はフィールドグラウンドＦＧ２と互いに実質的に等電位となる。このため、第５の状態では、例えば商用電源ＡＣＶの接地端にノイズが発生したり、フィールドグラウンドＦＧ１と商用電源ＡＣＶの接地端との間の結線にノイズが誘起されたりしている場合でも、負荷Ｚの接地端の電位の変動が防止される。
従って、第５の状態では、負荷Ｚが接地端間のノイズ電圧に起因する誤動作を起こしやすい装置を含んでいる等の場合に、第４の状態に比べ、負荷Ｚの誤動作の危険が軽減される。
【００３９】
なお、上述の第２の状態でも、負荷Ｚが接地端間のノイズ電圧に起因する誤動作を起こしやすい装置を含んでいる等の場合は、上述の第３の状態に比べ、負荷Ｚの誤動作の危険が軽減される。
また、第３〜第５の各状態でも、交流電源ＡＣＶのホットエンド−接地端間に発生したノイズ及び交流電源ＡＣＶのコールドエンド−接地端間に発生したノイズが互いに同相である場合、このノイズは負荷Ｚへは実質的に流入しない。
【００４０】
なお、この接地切替器の構成は上述のものに限られない。
例えば、この接地切替器は、負荷Ｚの接地端と交流電源ＡＣＶの接地端との間に接続されるための抵抗器を、抵抗器Ｒ１だけに限らず複数備えていてもよい。この場合、スイッチＳＷは、操作者の操作に従って、これら複数の抵抗器のうち一つを負荷Ｚの接地端と交流電源ＡＣＶの接地端との間に接続するものとすればよい。
【００４１】
また、この接地切替器は、負荷Ｚの接地端とフィールドグラウンドＦＧ２との間に接続されるための抵抗器を、抵抗器Ｒ２だけに限らず複数備えていてもよい。この場合、スイッチＳＷは、操作者の操作に従って、これら複数の抵抗器のうち一つを負荷Ｚの接地端とフィールドグラウンドＦＧ２との間に接続するものとすればよい。
【００４２】
また、抵抗器Ｒ１及びＲ２は純抵抗成分のみを有する素子である必要はなく、リアクタンス成分を有していてもよい。従って、この接地切替器は、抵抗器Ｒ１やＲ２（その他、負荷Ｚの接地端と交流電源ＡＣＶの接地端との間に接続されるための抵抗器や、負荷Ｚの接地端とフィールドグラウンドＦＧ２との間に接続されるための抵抗器）に代えて、任意のインダクタンスを有するコイルや、任意の周波数特性を有するフィルタを備えるようにしてもよい。
【００４３】
この接地切替器が抵抗器Ｒ１に代えてコイルを備える場合、このコイルのインダクタンスは、
（１）  商用電源ＡＣＶが発生する交流電圧の周波数におけるこれらのコイルのリアクタンスが、このコイルの各両端間に実質的に電圧降下が生じない程度に低く、
（２）  負荷Ｚの接地端と交流電源ＡＣＶの接地端との間に発生する接地端間のノイズ電圧の周波数におけるこのコイルのリアクタンスが、接地端間のノイズ電流を実質的に遮断する程度に高い、
ものであればよい。この場合、負荷Ｚの接地端と交流電源ＡＣＶの接地端との間に接地端間のノイズ電圧が生じても、フィールドグラウンドＦＧ１、商用電源ＡＣＶの接地端及び負荷Ｚの接地端は、互いに実質的に等電位となる。
【００４４】
この接地切替器が抵抗器Ｒ２に代えてコイルを備える場合、これらのコイルのインダクタンスは、（１）として上述した条件に加え、
（３）  負荷Ｚの接地端とフィールドグラウンドＦＧ２との間に発生する接地端間のノイズ電圧の周波数におけるこのコイルのリアクタンスが、接地端間のノイズ電流を実質的に遮断する程度に高い、
ものであればよい。この場合、負荷Ｚの接地端とフィールドグラウンドＦＧ２との間に接地端間のノイズ電圧が生じても、フィールドグラウンドＦＧ２及び負荷Ｚの接地端は、互いに実質的に等電位となる。
【００４５】
【発明の効果】
以上説明したように、この発明によれば、電気機器への雑音の流入が軽減されるよう接地の対象及び接地の態様を簡単に選択することを可能とするための接地特性変換装置が実現される。
【図面の簡単な説明】
【図１】この発明の実施の形態にかかる接地切替器の基本構成を示す回路図である。
【符号の説明】
ＡＣＶ              交流電源
ＦＧ１、ＦＧ２      フィールドグラウンド
Ｒ１、Ｒ２          抵抗器
ＳＷ                スイッチ
Ｚ                  負荷
【図１】
0003664635.tif 000002